(57)【要約】【課題】チャプター分割の精度を高め、ユーザの負担を軽減できるようにした映像編集装置、映像編集システムおよび映像編集方法を提供する。【解決手段】ＤＶＤレコーダ１０は、記録媒体に映像データを記録する記録手段と、記録手段によって記録媒体に記録された映像データを複数のチャプターに分割するチャプター分割を行う分割手段と、分割手段による映像データの分割に関するチャプター分割情報を蓄積する蓄積手段と、蓄積手段により蓄積されているチャプター分割情報を用いて、分割手段がチャプター分割を行うように制御するチャプター分割制御手段とを有する。【選択図】図１
2008141383.tif 000002
【特許請求の範囲】
【請求項１】
記録媒体に映像データを記録する記録手段と、
該記録手段によって前記記録媒体に記録された映像データを複数のチャプターに分割するチャプター分割を行う分割手段と、
該分割手段による前記映像データの分割に関するチャプター分割情報を蓄積する蓄積手段と、
該蓄積手段により蓄積されている前記チャプター分割情報を用いて、前記分割手段が前記チャプター分割を行うように制御するチャプター分割制御手段とを有することを特徴とする映像編集装置。
【請求項２】
前記分割手段により分割された前記映像データの前記チャプター同士の境界としてのチャプター境界の前後の画像を表示させる表示制御手段を更に有することを特徴とする請求項１記載の映像編集装置。
【請求項３】
前記記録媒体に記録された映像データから該映像データの前記チャプター同士の境界としてのチャプター境界を検出する境界検出手段と、
該境界検出手段により検出された前記チャプター境界が前記蓄積手段により蓄積されている前記チャプター分割情報を用いて定められる分割閾値の範囲内か否かを判定する判定手段とを更に有し、
前記チャプター分割制御手段は、前記判定手段の判定結果に応じて、前記分割手段が前記チャプター分割を行うように制御することを特徴とする請求項１または２記載の映像編集装置。
【請求項４】
前記分割手段により行われた前記チャプター分割の実績を示す分割実績情報を前記チャプター分割情報として前記蓄積手段に蓄積させる蓄積制御手段を更に有することを特徴とする請求項１〜４のいずれか一項記載の映像編集装置。
【請求項５】
前記境界検出手段は、前記映像データのうちの無音声であり、かつ黒画面の映像データを検出することによって、前記チャプター境界を検出することを特徴とする請求項３記載の映像編集装置。
【請求項６】
ネットワークを介して接続される外部装置から前記チャプター分割情報を取得する取得手段を更に有し、
前記チャプター分割制御手段は、前記取得手段により取得された前記チャプター分割情報を用いて、前記チャプター分割を行うように制御することを特徴とする請求項１〜５のいずれか一項記載の映像編集装置。
【請求項７】
記録媒体に映像データを記録する記録手段および該記録手段によって前記記録媒体に記録された映像データを複数のチャプターに分割するチャプター分割を行う分割手段を備えた映像編集装置と、該映像編集装置にネットワークを介して接続されるサーバ装置とを有する映像編集システムであって、
前記映像編集装置は、前記分割手段による前記映像データの分割に関するチャプター分割情報を前記サーバ装置から取得する取得手段と、
該取得手段により取得された前記チャプター分割情報を用いて、前記分割手段が前記チャプター分割を行うように制御するチャプター分割制御手段とを有し、
前記サーバ装置は、前記チャプター分割情報を前記映像編集装置に提供する提供手段を有することを特徴とする映像編集システム。
【請求項８】
前記映像編集装置は、前記チャプター分割情報を蓄積する蓄積手段と、
前記分割手段により行われた前記チャプター分割の実績を示す分割実績情報を前記チャプター分割情報として前記蓄積手段に蓄積させる蓄積制御手段とを更に有することを特徴とする請求項７記載の映像編集システム。
【請求項９】
記録媒体に映像データを記録する記録手段と、該記録手段によって前記記録媒体に記録された映像データを複数のチャプターに分割するチャプター分割を行う分割手段とを備えた映像編集装置を用いた映像編集方法であって、
前記分割手段による前記映像データの分割に関するチャプター分割情報を蓄積し、
該蓄積されている前記チャプター分割情報を用いて、前記分割手段が前記チャプター分割を行うように制御することを特徴とする映像編集方法。
【発明の詳細な説明】
【技術分野】
【０００１】
本発明は、記録媒体に記録されている映像データの編集機能を備えた映像編集装置、映像編集システムおよび映像編集方法に関する。
【背景技術】
【０００２】
従来、ＤＶＤ（ｄｉｇｉｔａｌ  ｖｅｒｓａｔｉｌｅ  ｄｉｓｋ）等のリムーバブルメディアに映像データおよび音声データをデジタル形式で記録し、記録されている映像データおよび音声データを読み取る記録再生機能を備えたＤＶＤレコーダが普及している。中でも、ＤＶＤレコーダは、ハードディスクドライブ（Ｈａｒｄ  Ｄｉｓｋ  Ｄｒｉｖｅ、以下「ＨＤＤ」という）を内蔵し、そのＨＤＤにデジタルデータを記録できるようになっていることがある。
【０００３】
ところで、この種の映像記録再生装置は、ＨＤＤや光ディスクに録画した番組の映像データについて、そのタイトル単位またはタイトルの部分領域であるチャプター単位で移動や結合を行うことにより、再生順序を入れ替える等の編集処理を施せる編集機能を備えていることがある。
【０００４】
特に、この編集機能を備えた映像記録再生装置（映像編集装置）では、録画した番組の映像データについて、チャプター単位の編集を行う場合、ＨＤＤに録画した番組をＤＶＤ−Ｒなどの光ディスクに保存版として録画する場合は、ＣＭ（コマーシャルメッセージ)等の本編とは関係ない映像データをカットして録画することがごく一般的な方法として行われている。
【０００５】
そして、番組の映像データがＨＤＤに録画されつつ自動的にチャプターに分割されることもあるが、その場合、映像編集装置は映像データのうちの音声のない無音声の箇所（無音状態）をエンコーダやデコーダ内の音声処理回路等で検出する無音声検出を行って、その箇所をカットするようになっている。
【０００６】
また、従来、特許文献１に開示されているように、無音状態のほかに黒フィールドを検出することによって、ＣＭの映像データをカットする技術もあった。
【特許文献１】特表２００５−５２４２９０号公報
【発明の開示】
【発明が解決しようとする課題】
【０００７】
しかし、無音状態や黒フィールドの検出による映像データの編集を行う場合、それらの検出結果によっては、図１３に示すように、ＣＭの途中や番組本編の途中等で無音状態などが検出されることにより、チャプター単位の分割（チャプター分割）が細かくなされることが多々あり（タイムバー１００上に区切りライン１０１が多発している）、ユーザの思惑と違った分割がなされてしまうことがあった。こうなると、分割されたチャプターの結合などの面倒な作業がユーザに発生してしまうことになる。
【０００８】
そこで、本発明は上記課題を解決するためになされたもので、チャプター分割の精度を高め、ユーザの負担を軽減できるようにした映像編集装置、映像編集システムおよび映像編集方法を提供することを目的とする。
【課題を解決するための手段】
【０００９】
上記課題を解決するため、本発明は、記録媒体に映像データを記録する記録手段と、その記録手段によって記録媒体に記録された映像データを複数のチャプターに分割するチャプター分割を行う分割手段と、その分割手段による映像データの分割に関するチャプター分割情報を蓄積する蓄積手段と、その蓄積手段により蓄積されているチャプター分割情報を用いて、分割手段がチャプター分割を行うように制御するチャプター分割制御手段とを有する映像編集装置を特徴とする。
【００１０】
また、本発明は、記録媒体に映像データを記録する記録手段およびその記録手段によって記録媒体に記録された映像データを複数のチャプターに分割するチャプター分割を行う分割手段を備えた映像編集装置と、その映像編集装置にネットワークを介して接続されるサーバ装置とを有する映像編集システムであって、映像編集装置は、分割手段による映像データの分割に関するチャプター分割情報をサーバ装置から取得する取得手段と、その取得手段により取得されたチャプター分割情報を用いて、分割手段がチャプター分割を行うように制御するチャプター分割制御手段とを有し、サーバ装置は、チャプター分割情報を映像編集装置に提供する提供手段を有する映像編集システム提供する。
【００１１】
そして、本発明は、記録媒体に映像データを記録する記録手段と、その記録手段によって記録媒体に記録された映像データを複数のチャプターに分割するチャプター分割を行う分割手段とを備えた映像編集装置を用いた映像編集方法であって、分割手段による映像データの分割に関するチャプター分割情報を蓄積し、その蓄積されているチャプター分割情報を用いて、分割手段がチャプター分割を行うように制御する映像編集方法を提供する。
【発明の効果】
【００１２】
以上詳述したように、本発明によれば、チャプター分割の精度を高め、ユーザの負担を軽減できるようにした映像編集装置、映像編集システムおよび映像編集方法が得られるようになる。
【発明を実施するための最良の形態】
【００１３】
以下、本発明の実施の形態について説明する。なお、同一要素には同一符号を用い、重複する説明は省略する。
【００１４】
図１は、本発明の実施の形態に係る映像編集装置としてのＤＶＤレコーダ１０の内部構成を示すブロック図である。図１に示すように、ＤＶＤレコーダ１０は記録媒体として、ＤＶＤ−ＲＡＭ、ＤＶＤ−Ｒ等の光ディスクＤが用いられ、光ディスクＤに記録されている映像データおよび音声データを読み取って再生する再生機能と、光ディスクＤに映像データおよび音声データを記録する記録機能とを有している。
【００１５】
また、ＤＶＤレコーダ１０はＨＤＤ１５を有し、そのＨＤＤ１５に記録した番組の映像データを光ディスクＤに保存版として記録する場合に、ＣＭ等の本編と関係のない不要な映像データをカットしつつチャプターに分割する映像データの編集機能を有している。
【００１６】
ＤＶＤレコーダ１０は、ＴＶチューナ１１を有し、そのＴＶチューナ１１には図示されていないアンテナが受け取った放送波の信号が入力される。ＴＶチューナ１１は入力される信号について復調等を行ってアナログ映像信号を出力する。このアナログ映像信号は、ＡＤＣ(Ａｎａｌｏｇ  Ｔｏ  Ｄｉｇｉｔａｌ  Ｃｏｎｖｅｒｔｅｒ)１２によって例えばサンプリング周波数１３．５ＭＨｚ、量子化ビット数８ビットで量子化される。同様にアナログ音声信号についてもＡＤＣ１２によって、例えばサンプリング周波数４８ｋＨｚ、量子化ビット数１６ビットで量子化される。
【００１７】
ＡＤＣ１２から出力されたデジタル映像信号とデジタル音声信号は、エンコーダ１３に入力される。エンコーダ１３は、入力されたデジタル映像信号をＭＰＥＧ−２規格に基づいて圧縮し、圧縮されたデジタル映像信号に変換して出力する。デジタル音声信号についても、例えばＡＣ（Ａｕｄｉｏ  Ｃｏｍｐｒｅｓｓｉｏｎ）−３規格に基づいて圧縮し、圧縮したデジタル音声信号に変換して出力する。
【００１８】
エンコーダ１３では、圧縮したデジタル映像信号とデジタル音声信号とを記録に適したフォーマットとなるよう信号処理を行ってデータ処理部１４に出力する。エンコーダ１３でエンコードされた情報は、データ処理部１４を介して、ＨＤＤ１５や、ディスクドライブ１６に挿入されているＤＶＤ−ＲＡＭ等の光ディスクＤに記録される。  ＨＤＤ１５は映像データや音声データを記録する記録手段および後述するチャプター分割情報を蓄積する蓄積手段としての機能を有している。
【００１９】
ＨＤＤ１５や、ＤＶＤドライブ１６に挿入された光ディスクＤに記録されたデジタル信号（映像データや音声データ）は、データ処理部１４を介してデコーダ１７に出力される。デコーダ１７では入力されたデジタル信号からデジタル映像信号とデジタル音声信号とを分離して、それぞれをデコードする機能を有している。デコーダ１７から出力されたデジタル映像信号は図示しないビデオミキサに入力される。ビデオミキサでは、図示しないフレームメモリをバッファとして使用しながら、入力されたデジタル映像信号とテキストデータや画像データとの合成が行われる。
【００２０】
また、ビデオミキサの出力は、ＤＡＣ２０（Ｄｉｇｉｔａｌ  Ｔｏ  Ａｎａｌｏｇ  Ｃｏｎｖｅｒｔｅｒ）によりアナログ映像信号に変換された後に、ケーブルを介して接続されている外部のモニタ３１に出力され、モニタ３１によって映像が表示される。デコーダ１７から出力されたデジタル音声信号についても、同様にＤＡＣ２１でアナログ音声信号に変換された後にケーブルを介して接続されている外部のスピーカ３２に出力され、スピーカ３２によって音声が出力される。
【００２１】
また、ＤＶＤレコーダ１０は、ＣＰＵ（Central  Processing  Unit）１８と、メインメモリ１９と、リモコンＩ／Ｆ２２と、ローカルメモリ２３と、メニュー制御部２４と、チャプター制御・管理部２５とを有している。
【００２２】
ＣＰＵ１８は、メインメモリ１９に記憶されている制御プログラムに従い上述の各モジュールを制御して、録画や再生などの動作を統括する。メインメモリ１９には、制御プログラムやＣＰＵ１８が実行するプログラムが書き込まれている。ローカルメモリ２３は、ＣＰＵ１８によるプログラムの実行に必要なワークエリアを提供し得るようになっている。
【００２３】
また、ＣＰＵ１８は、リモコンＩ／Ｆ２２を介して入力されるリモコン操作情報に従い動作を制御する。リモコンＩ／Ｆ２２には、ユーザの操作するリモコン３０の操作情報が図示しない赤外線受光部を介して入力されるようになっている。
【００２４】
さらに、ＣＰＵ１８は、インターネット４０に接続されている後述するサーバ装置１００との通信を行うネットワークインタフェース（ネットワークＩ／Ｆ）２６の動作を制御する。
【００２５】
ＣＰＵ１８は、ＨＤＤ１５またはディスクドライブ１６における映像データ等の記録（ここでは主に映像データに記録（録画）を想定している）に用いられ、そのデータの記録（録画）に先立ち予め設定された情報（以下「予約録画情報」という）に基づいて、予約録画の実行を制御する。ここで、予約録画情報は、チャンネル番号、録画開始時刻、録画終了時刻、録画モードなどの情報が含まれている。例えば、デジタル放送の場合であれば、録画開始時刻と録画終了時刻にかえてイベントＩＤを指定するといったように、録画を行うために必要な情報が予約録画情報である。録画モードは、録画に使用するコーデックの種別、ビットレートなどの情報である。また、予約録画情報には録画に直接必要な情報ではないが、番組のジャンルの情報やタイトル名などの情報も含むようにすることが可能である。
【００２６】
メニュー制御部２４は、ＣＰＵ１８の指示にしたがい作動して、モニタ３１におけるメニューの表示を制御する。チャプター制御管理部２５は、ＣＰＵ１８の指示にしたがい作動して、映像データにおける分割されたチャプターを管理している。
【００２７】
（サーバ装置の構成）
次に、サーバ装置１００の構成について、図２を参照して説明する。サーバ装置１００は、図２に示すように、ＣＰＵ１０１、ＲＯＭ(Read  Only  Memory)１０２、ＲＡＭ（Random  Access  Memory）１０３、通信処理部１０４、通信制御部１０５およびデータ記憶部１０６を有している。そして、サーバ装置１００は、ＣＰＵ１０１がＲＯＭ１０２に記憶されているプログラムにしたがいＲＡＭ１０３にデータを読み書きしながら作動し、一方、通信制御部１０４がＣＰＵ１０１の指示にしたがい通信処理部１０４を作動させ、これにより、ＤＶＤレコーダ１０との間でのデータ通信が行われる。
【００２８】
サーバ装置１００は、本実施の形態では、データ記憶部１０６に後述するチャプター分割支援情報が記憶されている。チャプター分割支援情報は、ＤＶＤレコーダ１０が後述するチャプター分割を行う際に用いられるもので、ＤＶＤレコーダ１０が行う後述するチャプター分割を支援し得るような項目を有している。例えば、番組の放送される曜日、時間(放送開始時刻と終了時刻)、番組名、チャンネルおよび番組中において本編とは無関係の映像（例えばＣＭ）が放送される時間の情報などが含まれている。
【００２９】
（チャプター分割の動作内容）
本実施の形態におけるＤＶＤレコーダ１０では、映像データをチャプターに分割するチャプター分割の精度を高め、そのチャプター分割がユーザの意向に沿った形でなされるようにするため、以下の検出手法１）から検出手法３）を組み合わせて分割位置を検出することによってチャプター分割を行うこととしている。
【００３０】
検出手法１）：黒画面の検出によるチャプター分割
これは、黒画面が数フレーム続いた場合を画面の切替え位置と判断し、それをチャプター同士の境界としてのチャプター境界（分割位置ともいう）とする場合である。ここで、尚、黒画面の検出は、１フレーム全体が黒または１ラインすべてが黒かつ５１２ラインが同じ状態のときに行う。
【００３１】
検出手法２）：無音声の検出によるチャプター分割
これは、黒画面の場合と同様に数フレーム(基準となるVsyncを１フレームとカウントする)の間、無音声（無音状態）の場合に、それを分割位置とする場合である。
【００３２】
検出手法３）：ＧＯＰの最初のI-PictureまたはP-Pictureによるチャプター分割
ＧＯＰ（(Group  of  Pictures)は特殊再生用に細かな単位で分けられており、ＧＯＰは頻繁に存在する。そのため、検出手法１）や検出手法２）とともに実行することによってチャプター分割の乱発を回避することができる。
【００３３】
そして、本実施の形態では、検出手法１）から検出手法３）を組み合わせた以下の検出手法（組み合わせ検出１）〜５））にしたがい分割位置を検出することによってチャプター分割を行う。これにより、図３に示すように、チャプターの細かな分割を減少させてチャプター分割の精度を向上させている。図３では、分割されたチャプターＣ（チャプター１〜１２）と、対応するタイムバー１００が表示され、タイムバー１００には区切りライン１０１が多発してなく、チャプター分割が適切であることを示している。なお、以下に示すように、組み合わせ検出)１）〜５）はユーザが選べるようになっている。
組み合わせ検出１）：検出手法１）と検出手法２）の組み合わせ
組み合わせ検出２）：検出手法１）、検出手法２）および検出手法３）の組み合わせ
組み合わせ検出３）：検出手法１）と検出手法３）の組み合わせ
組み合わせ検出４）：検出手法２）および検出手法３）の組み合わせ
組み合わせ検出５）：検出手法１）または２）と、検出手法３）の組み合わせ
【００３４】
図３に示すように、組み合わせ検出)１）〜５）にしたがい分割位置を検出してチャプター分割を行うことにより、チャプター分割が小刻みに行われることが減少する。
【００３５】
しかし、それでもユーザの意図とは異なる位置でのチャプター分割がなされる場合があり、本発明はそのための解決策を提供するものである。
【００３６】
ＤＶＤレコーダ１０は、図４に示すように、チャプター分割が行われた映像データを用いてモニタ３１に表示される映像をユーザが見る際に、チャプターの前後の映像をサムネール表示または数秒の画像をモニタ３１に表示して（後述する前後画像の表示）ユーザが確認できるようにしている。これにより、チャプター分割が自らの意図通りの妥当なものであるか否かをユーザが判断する機会を確保し、チャプター分割が妥当であるか否かを決定できるようにしている。
【００３７】
詳しくは後述するが、この場合、ユーザは、チャプター分割が適切であれば、リモコン３０の操作等で“OK”を示す操作入力を行い、一方、妥当でなければ、“No”を示す操作入力を行う。そして、ＤＶＤレコーダ１０は“No”の場合は、チャプター分割を取り消してチャプターの前後の画像を結合する結合処理を自動で行う。
【００３８】
また、ＤＶＤレコーダ１０はすでに行われたチャプター分割を学習し、次回の録画の際のチャプター分割に反映させることができるようになっている（後述するチャプターの学習分割）。チャプターの学習分割では、例えば連続ドラマ等、毎週、同じ曜日のチャンネルの同じ時間帯に放送される番組を録画する際に、図５に示すように、選択したタイトル(録画した番組)Ｔから、ａ）自動でチャプター分割した位置の時間およびｂ）手動でチャプター分割を修正した位置の時間に関する情報を収集し、チャプター分割に活用する。ここで、収集される情報はチャプター分割の実績を示すチャプター分割実績情報であり、後述するチャプター分割支援情報とともにチャプター分割情報を構成している。
【００３９】
なお、帯番組(毎週同じチャンネル／同じ時間帯)を１つのホルダーにまとめて保存してある場合は、図５のタイトルをホルダーと読み替え、そのホルダーでのチャプター分割の情報を収集し、その傾向を判断(例えば多数決など)して、次回の予約録画時のチャプター分割に活用する。
【００４０】
次に、以上のようなチャプター分割の動作を実現するときのＤＶＤレコーダ１０の動作内容について、図６〜図１２のフローチャートを参照して説明する。図６は、手法１）にしたがったチャプター分割を行うときの動作手順を示すフローチャートである。図６〜図１２のフローチャートに沿った動作はいずれも、主にＣＰＵ１８の制御により実行される。なお、図６〜図１２では、ステップをＳと略記している。
【００４１】
（チャプター分割の動作手順１））
ＣＰＵ１８は、チャプター分割の動作を開始すると、ステップ１に進み、録画予約のメニューから録画する番組の設定等を行い、続くステップ２では、ステップ１における設定にしたがってチャプター分割を行うための処理方法（組み合わせ検出１）〜５）のいずれか）を選択する。ここでは、組み合わせ検出１）が選択されたため、続くステップ３で、組み合わせ検出１）がチャプター分割を実施する処理方法とされる。
【００４２】
次に、ステップ４で録画予約設定完了になると、ステップ５に進み、録画予約を設定した時間（開始時刻）になるまで待機して、開始時刻になると録画予約開始となる。
【００４３】
そして、ＣＰＵ１８は境界検出手段としての動作を行い、ステップ６で予約録画中に無音声を検出したか否かを判定し、無音声を検出するとチャプター分割の候補とし、さらに、続くステップ７で、その検出した無音声の位置で黒画面を検出したか否かを判定し、黒画面を検出するとステップ８に進み、ＣＰＵ１８は分割手段としての動作を行い、分割位置で映像データをチャプターに分割してチャプター分割を実行する。
【００４４】
ＣＰＵ１８はステップ９に進んで、録画予約完了時間であるかを判断し、録画予約完了時間であればステップ１０に進むが、そうでなければステップ６に戻る。こうして、ステップ６〜８を繰り返し実行して無音声かつ黒画面の検出を行い、チャプター分割を実行する。なお、録画予約完了時間に達したところでステップ１０に進んで録画予約完了とし、録画予約におけるチャプター分割の処理を終了する。
【００４５】
（チャプター分割の動作手順２））
次に、ＣＰＵ１８は、組み合わせ検出２）がチャプター分割を実施する処理方法とされた場合は図７にしたがってチャプター分割を行う。図７では、図６の動作手順１）と比べてステップ７，８の間にステップ１１が加わっている点、ステップ３で組み合わせ検出２）がチャプター分割を実施する処理方法とされているほかは同じである。そのステップ１１では、ＣＰＵ１８は境界検出手段としての動作を行い、ステップ６，７を上記同様に実行して無音声かつ黒画面を検出してチャプター分割の候補とした場合において、ＧＯＰで最初のI-PictureまたはP-Pictureを検出すると、ステップ８に進む。そして、ＣＰＵ１８は分割手段としての動作を行い、チャプター分割を実行する。また、ステップ９、１０を動作手順１）と同様に実行すると動作手順２）が終了する。
【００４６】
（チャプター分割の動作手順３））
次に、ＣＰＵ１８は、組み合わせ検出３）がチャプター分割を実施する処理方法とされた場合は図８にしたがってチャプター分割を行う。図８では、図７の動作手順２）と比べて、ステップ６を実行しない点と、ステップ３で組み合わせ検出３）がチャプター分割を実施する処理方法とされている点で相違しているが、そのほかは同じである。
【００４７】
動作手順３）では、ステップ５を実行したのち、ＣＰＵ１８は境界検出手段としての動作を行い、ステップ７を実行して予約録画中に黒画面を検出したか否かを判定し、黒画面を検出するとステップ１１に進む。ステップ１１では、動作手順２）の場合同様にしてＧＯＰで最初のI-PictureまたはP-Pictureを検出するとステップ８に進む。そして、ＣＰＵ１８は分割手段としての動作を行い、チャプター分割を実行する。また、ステップ９、１０を動作手順１）と同様にして実行すると動作手順３）が終了する。
【００４８】
（チャプター分割の動作手順４））
次に、ＣＰＵ１８は、組み合わせ検出４）がチャプター分割を実施する処理方法とされた場合は図９にしたがってチャプター分割を行う。図９では、図８の動作手順３）と比べて、ステップ７の代わりにステップ６を実行する点と、ステップ３で組み合わせ検出４）がチャプター分割を実施する処理方法とされている点で相違しているが、そのほかは同じである。
【００４９】
動作手順４）では、ステップ５を実行したのち、ステップ６を実行して予約録画中に無音声を検出したか否かを判定し、無音声を検出するとステップ１１に進む。そして、ステップ１１では、動作手順３）の場合同様にしてＧＯＰで最初のI-PictureまたはP-Pictureを検出するとステップ８に進み、ＣＰＵ１８は分割手段としての動作を行い、チャプター分割を実行する。また、ステップ９、１０を動作手順１）と同様にして実行すると動作手順４）が終了する。
【００５０】
（チャプター分割の動作手順５））
次に、ＣＰＵ１８は、組み合わせ検出５）がチャプター分割を実施する処理方法とされた場合は図１０にしたがってチャプター分割を行う。図１０では、図９の動作手順４）と比べて、ステップ６の代わりにステップ１２を実行する点、ステップ３で組み合わせ検出５）がチャプター分割を実施する処理方法とされている点で相違しているが、そのほかは同じである。
【００５１】
動作手順５）では、ステップ５を実行したのち、ステップ１２を実行して予約録画中に無音声を検出したかまたは黒画面を検出したか否かを判定し、無音声または黒画面を検出するとステップ１１に進む。ステップ１１では、動作手順４）の場合同様にしてＧＯＰで最初のI-PictureまたはP-Pictureを検出するとステップ８に進み、ＣＰＵ１８は分割手段としての動作を行い、チャプター分割を実行する。また、ステップ９、１０を動作手順１）と同様にして実行すると動作手順５）が終了する。
【００５２】
（前後画像表示の動作手順）
次に、以上のようなチャプター分割の動作が行われた後におけるＤＶＤレコーダ１０の前後画像表示の動作手順について説明する。図１１は前後画像表示の動作手順を示すフローチャートである。
【００５３】
ＣＰＵ１８は前後画像表示の動作を開始すると、ステップ２１に進み、メニュー制御部２４に指示して録画済の番組一覧をモニタ３１に表示させる。次に、ステップ２２に進み、モニタ３１に表示された録画済の番組一覧をユーザが選択するまで待機して、選択するとステップ２３に進み、ステップ２２で選択されたチャプターをサムネールでモニタ３１に表示させる。
【００５４】
次に、ＣＰＵ１８はステップ２４に進み、モニタ３１に表示されたチャプターの中から所望のチャプターをユーザが選択するまで待機して、ユーザがチャプターを選択するとステップ２５に進み、表示制御手段としての動作を行い、選択されたチャプターのチャプター境界の前後の画像を表示させる。この場合、例えば、ユーザが分割されたチャプター１〜チャプター１２までの中からチャプター１〜６を選択したときは図４に示すように、チャプター１、２については、分割位置Ｐの前後の画像（前後画像）Ｐ１、Ｐ２が表示される。
【００５５】
そして、ＣＰＵ１８はステップ２６に進み、ユーザが前後画像Ｐ１、Ｐ２を参照した上で、リモコン操作を行い入力した操作情報を参照して、チャプター分割位置が適正か否かを判定する。ここで、チャプター分割位置が適正と判定されたときはステップ２７、そうでなければステップ２８に進む。ステップ２７では、チャプターの分割が維持されるが、ステップ２８では、ＣＰＵ１８がチャプターを結合するチャプター結合を行う。さらに、ステップ２９に進み、ユーザにより選択された別のチャプターがあるか否かを判定し、それがあればステップ２４に戻るが、そうでなければステップ３０に進み、チャプター情報を更新して前後画像表示の動作を終了する。こうして、選択されたチャプターすべてに対して、ステップ２４〜２８の動作が実行される。
【００５６】
以上のように、ＤＶＤレコーダ１０では、チャプター分割が行われた場合はチャプター境界の前後画像Ｐ１、Ｐ２を表示して、チャプター分割位置が適正か否かをユーザが判定できるようになっている。また、チャプター分割位置が適正でなければチャプター結合が行われるため、ユーザが煩わしい操作を行わなくて済むようになっている。前後画像Ｐ１、Ｐ２を表示してユーザに見せることにより、ユーザがチャプター分割の正当性を判断した上で、チャプター分割の修正（チャプターの削除や結合）を容易に行うための環境を提供することができる。
【００５７】
（チャプターの学習分割の動作手順）
次に、チャプターの学習分割の動作手順について説明する。図１２はチャプターの学習分割の動作手順を示すフローチャートである。ＤＶＤレコーダ１０は、過去に行われた録画による得られる映像データから上述したチャプター分割情報としてのチャプター分割実績情報を収集し、その収集したチャプター分割実績情報を活用してチャプター分割（これを本実施の形態では、チャプターの学習分割という）を行うことができる。このチャプターの学習分割は、特に毎日または毎週の同じ時間帯に放送される同じ番組を予約録画した映像データについてのチャプター分割として有効である。
【００５８】
そして、チャプターの学習分割が行われる場合、ＣＰＵ１８は図１２に示すフローチャートに沿って動作を行う。ＣＰＵ１８はチャプターの学習分割を開始すると、ステップ４１に進み、チャプター分割実績情報を収集する対象（録画した番組のタイトル）をユーザに選択させる。その対象が選択されるとＣＰＵ１８はステップ４２に処理を進め、選択された対象の番組から情報を収集する。ここで収集される情報は、録画曜日／録画時間（開始から終了まで）／番組名／チャンネル／チャプター分割の位置(録画開始からの時間)などの基礎データである。
【００５９】
次に、ＣＰＵ１８はステップ４４に動作を進めると蓄積制御手段としての動作を行い、収集されたチャプター分割実績情報をＨＤＤ１５に記憶させる蓄積動作を行って保存する。これによって、ＨＤＤ１５に記憶されたチャプター分割実績情報は次の録画予約に活用することができる。
【００６０】
続くステップ４５では、録画予約が設定される時点で、ＨＤＤ１５に保存したチャプター分割実績情報がユーザの指示または録画予約を行う曜日／録画時間／チャンネルから自動的に設定される。
【００６１】
そして、ステップ４６に進み、リモコン操作を行ってユーザが入力した操作情報を参照して、設定されたチャプター分割実績情報を活用するか否かを判定し、活用するときはＣＰＵ１８がチャプター分割制御手段としての動作を行い、ステップ４７〜５２の動作を実行するように制御するが、そうでなければステップ４８の動作を実行するように制御する。
【００６２】
ステップ４７では、設定されたチャプター分割実績情報を用いて録画予約を設定する。また、ステップ４８では、チャプター分割実績情報を活用しないでチャプター分割を行うため、図６〜図１０に示したフローチャートの手順にしたがってチャプター分割を判断して（分割位置を検出して）、ステップ８〜１０を上記同様に実行してチャプターの学習分割が終了する。
【００６３】
ステップ４９に進むと、ＣＰＵ１８は録画予約が開始されるまで録画予約を待機し、録画予約の開始時刻になると続くステップ５０で録画予約を開始する。
【００６４】
そして、ステップ５１に進み、図６〜図１０に示したフローチャートの手順にしたがってチャプター分割を判断（分割位置を検出）する。続くステップ５２では、ＣＰＵ１８は判定手段としての動作を行い、ステップ５１で検出された分割位置が過去のチャプター分割に近いか否か、すなわち、ステップ５１で検出された分割位置が、設定されたチャプター分割実績情報を基準に定められる分割閾値からの許容範囲（例えば、閾値時刻から１〜２分、この１〜２分の時間はデフォルトで設定されているが、ユーザの操作入力によって変更できるようにしてもよい）内にあるか否かを判定する。そして、近い場合はステップ８〜１０を上記同様に実行してチャプターの学習分割が終了するが、そうでなければステップ５１に戻って上記の動作を繰り返す。
【００６５】
以上のように、ＤＶＤレコーダ１０は、過去に行われたチャプター分割に関するチャプター分割実績情報を蓄積することによって、過去に行われたチャプター分割を学習するようになっており、その学習成果としてのチャプター分割実績情報を活用したチャプター分割を行える。そのため、ＤＶＤレコーダ１０では、チャプター分割が過去に行われたチャプター分割の実績を踏まえたものとなり、チャプター分割の精度をいっそう上げることができるようになっている。
【００６６】
さらに、ＤＶＤレコーダ１０がチャプターの分割を行う場合、図２に示すようにして映像編集システムを構成し、サーバ装置１００から提供されるチャプター分割支援情報を用いてもよい。チャプター分割支援情報は放送されている番組の中でＣＭの挿入箇所を示す時刻の情報が含まれていて、ＤＶＤレコーダ１０におけるチャプター分割を支援し、チャプター分割の精度を高められるようした情報である。
【００６７】
このチャプター分割支援情報を活用する場合、ＤＶＤレコーダ１０は上述のステップ４３でチャプター分割実績情報を収集するほかに、サーバ装置１００からチャプター分割支援情報を取得する。この場合、ＤＶＤレコーダ１０では、ＣＰＵ１８がネットワークＩ／Ｆ２６に指示してサーバ装置１００にチャプター分割支援情報の提供を要求し、その提供要求に応じて提供手段としてのサーバ装置１００の通信処理部１０４がチャプター分割支援情報を提供する一方、取得手段としてのネットワークＩ／Ｆ２６がチャプター分割支援情報を取得する。取得したチャプター分割支援情報はステップ４４でチャプター分割情報として保存される。
【００６８】
そして、ステップ４５で、録画予約が設定される時点で、ＨＤＤ１５に保存したチャプター分割支援情報がユーザの指示または録画予約する曜日／録画時間／チャンネルから自動的に設定される。このようにしても、チャプター分割の精度を上げることができるようになる。
【００６９】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７０】
【図１】本発明の実施の形態に係る映像編集装置としてのＤＶＤレコーダの内部の構成を示すブロック図である。
【図２】サーバ装置の内部構成とともに映像編集システムの構成を示すブロック図である。
【図３】分割されたチャプターをタイムバーとともに示す図である。
【図４】分割されたチャプターのうち、選択されたチャプターの前後の画像をタイムバーとともに示す図である。
【図５】録画一覧の一例を示す図である。
【図６】検出手法１）にしたがったチャプター分割を行うときの動作手順を示すフローチャートである。
【図７】検出手法２）にしたがったチャプター分割を行うときの動作手順を示すフローチャートである。
【図８】検出手法３）にしたがったチャプター分割を行うときの動作手順を示すフローチャートである。
【図９】検出手法４）にしたがったチャプター分割を行うときの動作手順を示すフローチャートである。
【図１０】検出手法５）にしたがったチャプター分割を行うときの動作手順を示すフローチャートである。
【図１１】前後画像表示の動作手順を示すフローチャートである。
【図１２】チャプターの学習分割の動作手順を示すフローチャートである。
【図１３】分割された従来のチャプターをタイムバーとともに示す図である。
【符号の説明】
【００７１】
１０…ＤＶＤレコーダ、１８…ＣＰＵ
１５…ＨＤＤ、１６…ディスクドライブ
２４…メニュー制御部、２５…チャプター制御管理部
２６…ネットワークＩ／Ｆ、１００…サーバ装置
【図１】
2008141383.tif 000003
【図２】
2008141383.tif 000004
【図３】
2008141383.tif 000005
【図４】
2008141383.tif 000006
【図５】
2008141383.tif 000007
【図６】
2008141383.tif 000008
【図７】
2008141383.tif 000009
【図８】
2008141383.tif 000010
【図９】
2008141383.tif 000011
【図１０】
2008141383.tif 000012
【図１１】
2008141383.tif 000013
【図１２】
2008141383.tif 000014
【図１３】
2008141383.tif 000015